(57)【特許請求の範囲】
【請求項１】
家屋の壁と一体変位する状態で設けられた、内部に遊動室を形成する剛性のハウジングにて構成された当り部と、該当り部に対して該壁の振動方向に遊動状態に設けられ、振動時に該当り部に衝突するように該ハウジング内の該遊動室内に収容された衝突マスと、該当り部と該衝突マスの間に形成され、該衝突マスを該振動方向に遊動させるための隙間と、それら当り部と衝突マスとの少なくとも一方の当り面に形成された弾性体とを有する制振装置を前記壁に装着して該壁を制振するようになしたものであって、該壁の構築材である骨格部材が筒状を成していて両端の開口を閉鎖する別体のキャップとともに前記ハウジングを構成していることを特徴とする家屋構築体の制振装置。
【請求項２】
家屋の壁と一体変位する状態で設けられた、内部に遊動室を形成する剛性のハウジングにて構成された当り部と、該当り部に対して該壁の振動方向に遊動状態に設けられ、振動時に該当り部に衝突するように該ハウジング内の該遊動室内に収容された衝突マスと、該当り部と該衝突マスの間に形成され、該衝突マスを該振動方向に遊動させるための隙間と、それら当り部と衝突マスとの少なくとも一方の当り面に形成された弾性体とを有する制振装置を前記壁に装着して該壁を制振するようになしたものであって、該壁の構築材である前記骨格部材がＣ型材からなっていて、長手方向に沿った開放面を閉鎖する別体の蓋体とともに前記ハウジングを構成していることを特徴とする家屋構築体の制振装置。
【請求項３】
家屋の天井と一体変位する状態で設けられた、内部に遊動室を形成する剛性のハウジングにて構成された当り部と、該当り部に対して該天井の振動方向に遊動状態に設けられ、振動時に該当り部に衝突するように該ハウジング内の該遊動室内に収容された衝突マスと、該当り部と該衝突マスの間に形成され、該衝突マスを該振動方向に遊動させるための隙間と、それら当り部と衝突マスとの少なくとも一方の当り面に形成された弾性体とを有する制振装置を前記天井に装着して該天井を制振するようになしたものであって、該天井の構築材である骨格部材が筒状を成していて両端の開口を閉鎖する別体のキャップとともに前記ハウジングを構成していることを特徴とする家屋構築体の制振装置。
【請求項４】
家屋の天井と一体変位する状態で設けられた、内部に遊動室を形成する剛性のハウジングにて構成された当り部と、該当り部に対して該天井の振動方向に遊動状態に設けられ、振動時に該当り部に衝突するように該ハウジング内の該遊動室内に収容された衝突マスと、該当り部と該衝突マスの間に形成され、該衝突マスを該振動方向に遊動させるための隙間と、それら当り部と衝突マスとの少なくとも一方の当り面に形成された弾性体とを有する制振装置を前記天井に装着して該天井を制振するようになしたものであって、該天井の構築材である前記骨格部材がＣ型材からなっていて、長手方向に沿った開放面を閉鎖する別体の蓋体とともに前記ハウジングを構成していることを特徴とする家屋構築体の制振装置。
【請求項５】
家屋の屋根と一体変位する状態で設けられた、内部に遊動室を形成する剛性のハウジングにて構成された当り部と、該当り部に対して該屋根の振動方向に遊動状態に設けられ、振動時に該当り部に衝突するように該ハウジング内の該遊動室内に収容された衝突マスと、該当り部と該衝突マスの間に形成され、該衝突マスを該振動方向に遊動させるための隙間と、それら当り部と衝突マスとの少なくとも一方の当り面に形成された弾性体とを有する制振装置を前記屋根に装着して該屋根を制振するようになしたものであって、該屋根の構築材である骨格部材が筒状を成していて両端の開口を閉鎖する別体のキャップとともに前記ハウジングを構成していることを特徴とする家屋構築体の制振装置。
【請求項６】
家屋の屋根と一体変位する状態で設けられた、内部に遊動室を形成する剛性のハウジングにて構成された当り部と、該当り部に対して該屋根の振動方向に遊動状態に設けられ、振動時に該当り部に衝突するように該ハウジング内の該遊動室内に収容された衝突マスと、該当り部と衝突マスの間に形成され、該衝突マスを該振動方向に遊動させるための隙間と、それら当り部と衝突マスとの少なくとも一方の当り面に形成された弾性体とを有する制振装置を前記屋根に装着して該屋根を制振するようになしたものであって、該屋根の構築材である前記骨格部材がＣ型材からなっていて、長手方向に沿った開放面を閉鎖する別体の蓋体とともに前記ハウジングを構成していることを特徴とする家屋構築体の制振装置。
【発明の詳細な説明】
【０００１】
【発明の属する技術分野】
この発明は家屋構築体の制振装置、特に全体として板体をなす壁（ドアを含む），天井，屋根の制振装置に関する。
【０００２】
【従来の技術】
従来、家屋にあっては生活に伴なって発生する音が隣室や外部に騒音となって漏れるのを防止するため、或いは逆に外部の雨や風が壁に当ってこれを振動させ、屋内に騒音を発生させるといった問題を防止するため、家屋の壁を防音壁とするといったことが行われている。
【０００３】
図２５はその防音壁の従来の構造例を示している（特開平１１−１３３９７７）。同図において２００は防音壁で、２０２は骨格部材であり、２０４は面板状の表面材である。
この例では、壁全体に亘ってその内部にガラスウールや発泡性の樹脂材料その他から成る防音材２０６を設け、これを一対の表面材２０４にて両側から挟み込むようにしている。
【０００４】
図２６は他の従来例を示したもので（特開平５−２６３４８３）、この例もまた壁を構成する一対の表面材２０４の間に且つ壁全面に亘って防音材２０６を断熱材２０８とともに一対の表面材２０４にて挟み込むようにしてその内部に充填している。
【０００５】
【発明が解決しようとする課題】
以上のように従来の防音壁の場合、壁全体亘って防音材を挟み込んだり貼り付けたりするものであり、このため多量の防音材が必要であって材料費及び加工費が高価となる問題があり、更にまた施工に際して多大な手間と時間とがかかるといった問題があった。
以上家屋の壁について述べたが天井，屋根などについても同様の問題が存在する。
【０００６】
【課題を解決するための手段】
本発明の家屋構築体の制振装置はこのような課題を解決するために案出されたものである。
而して請求項１のものは、家屋の壁と一体変位する状態で設けられた、内部に遊動室を形成する剛性のハウジングにて構成された当り部と、該当り部に対して該壁の振動方向に遊動状態に設けられ、振動時に該当り部に衝突するように該ハウジング内の該遊動室内に収容された衝突マスと、該当り部と該衝突マスの間に形成され、該衝突マスを該振動方向に遊動させるための隙間と、それら当り部と衝突マスとの少なくとも一方の当り面に形成された弾性体とを有する制振装置を前記壁に装着して該壁を制振するようになしたものであって、該壁の構築材である骨格部材が筒状を成していて両端の開口を閉鎖する別体のキャップとともに前記ハウジングを構成していることを特徴とする。
【０００７】
請求項２のものは、家屋の壁と一体変位する状態で設けられた、内部に遊動室を形成する剛性のハウジングにて構成された当り部と、該当り部に対して該壁の振動方向に遊動状態に設けられ、振動時に該当り部に衝突するように該ハウジング内の該遊動室内に収容された衝突マスと、該当り部と該衝突マスの間に形成され、該衝突マスを該振動方向に遊動させるための隙間と、それら当り部と衝突マスとの少なくとも一方の当り面に形成された弾性体とを有する制振装置を前記壁に装着して該壁を制振するようになしたものであって、該壁の構築材である前記骨格部材がＣ型材からなっていて、長手方向に沿った開放面を閉鎖する別体の蓋体とともに前記ハウジングを構成していることを特徴とする。
【０００８】
請求項３のものは、家屋の天井と一体変位する状態で設けられた、内部に遊動室を形成する剛性のハウジングにて構成された当り部と、該当り部に対して該天井の振動方向に遊動状態に設けられ、振動時に該当り部に衝突するように該ハウジング内の該遊動室内に収容された衝突マスと、該当り部と該衝突マスの間に形成され、該衝突マスを該振動方向に遊動させるための隙間と、それら当り部と衝突マスとの少なくとも一方の当り面に形成された弾性体とを有する制振装置を前記天井に装着して該天井を制振するようになしたものであって、該天井の構築材である骨格部材が筒状を成していて両端の開口を閉鎖する別体のキャップとともに前記ハウジングを構成していることを特徴とする。
【０００９】
請求項４のものは、家屋の天井と一体変位する状態で設けられた、内部に遊動室を形成する剛性のハウジングにて構成された当り部と、該当り部に対して該天井の振動方向に遊動状態に設けられ、振動時に該当り部に衝突するように該ハウジング内の該遊動室内に収容された衝突マスと、該当り部と該衝突マスの間に形成され、該衝突マスを該振動方向に遊動させるための隙間と、それら当り部と衝突マスとの少なくとも一方の当り面に形成された弾性体とを有する制振装置を前記天井に装着して該天井を制振するようになしたものであって、該天井の構築材である前記骨格部材がＣ型材からなっていて、長手方向に沿った開放面を閉鎖する別体の蓋体とともに前記ハウジングを構成していることを特徴とする。
【００１０】
請求項５のもは、家屋の屋根と一体変位する状態で設けられた、内部に遊動室を形成する剛性のハウジングにて構成された当り部と、該当り部に対して該屋根の振動方向に遊動状態に設けられ、振動時に該当り部に衝突するように該ハウジング内の該遊動室内に収容された衝突マスと、該当り部と該衝突マスの間に形成され、該衝突マスを該振動方向に遊動させるための隙間と、それら当り部と衝突マスとの少なくとも一方の当り面に形成された弾性体とを有する制振装置を前記屋根に装着して該屋根を制振するようになしたものであって、該屋根の構築材である骨格部材が筒状を成していて両端の開口を閉鎖する別体のキャップとともに前記ハウジングを構成していることを特徴とする。
【００１１】
請求項６のものは、家屋の屋根と一体変位する状態で設けられた、内部に遊動室を形成する剛性のハウジングにて構成された当り部と、該当り部に対して該屋根の振動方向に遊動状態に設けられ、振動時に該当り部に衝突するように該ハウジング内の該遊動室内に収容された衝突マスと、該当り部と衝突マスの間に形成され、該衝突マスを該振動方向に遊動させるための隙間と、それら当り部と衝突マスとの少なくとも一方の当り面に形成された弾性体とを有する制振装置を前記屋根に装着して該屋根を制振するようになしたものであって、該屋根の構築材である前記骨格部材がＣ型材からなっていて、長手方向に沿った開放面を閉鎖する別体の蓋体とともに前記ハウジングを構成していることを特徴とする。
【００１２】
【作用及び発明の効果】
以上のように請求項１の発明は、家屋の壁と一体変位する状態で設けられた剛性の当り部と、その当り部に対し壁の振動方向に遊動状態に設けられた衝突マスと、それらの間に形成された隙間と、更に衝突マス及び当り部との間に介在する弾性体とを有する制振装置を壁に装着し、壁の振動を抑制するようになしたものである。
【００１３】
この制振装置は次のように働く。
即ちこの制振装置の場合、壁が振動し始めるとこれと一体に当り部が変位し、壁と同期して振動し始める。
一方衝突マスは当り部に対して振動方向に遊動状態にあるため、即ち当り部に対し同方向に独立して自由に移動するため、当り部の振動時にその当り部に衝突し、当り部の振動即ち壁の振動を打ち消すように作用する。
【００１４】
このとき当り部に衝突した衝突マスにはその当り部から逆向きに運動エネルギーが与えられ（従って当り部の振動エネルギーの一部が衝突マスの運動エネルギーとして吸収される）、衝突マスは逆方向に運動を行う。
そして最初の当り面とは逆位置にある当り面に再び衝突してそこで再び当り部、即ち壁の振動を打ち消すように作用する。
【００１５】
衝突マスは以後も同様の運動を当り部とは逆位相で繰り返し行い、衝突の度に当り部の振動エネルギーを吸収するとともに、これを自身の運動エネルギーに変換して振動する当り部に衝突し続ける。これによりまたその際の滑り摩擦によるエネルギー吸収によって、壁の振動エネルギーが減衰し効果高く制振される。
【００１６】
尚、当り部と衝突マスとの何れもが剛体から成っていると、衝突時に大きな異音（衝突音）が発生してしまう。
しかるに本発明の制振装置では、当り部と衝突マスとの少なくとも一方の当り面に弾性体が形成してあるため、衝突時に大きな異音が発生する問題もなく、特にその弾性体をゴム，樹脂等の粘弾性体にて構成しておいたとき、衝突時における弾性体の粘性挙動によって振動エネルギーが熱に変換・吸収され、これによっても当り部即ち壁の振動減衰が為される。
【００１７】
尚、壁にダイナミックダンパを装着して壁の振動を抑制するといったことも考えられる。
このダイナミックダンパは、壁（振動部材）に対しダンパマスをばねを介して付加するもので、それらダンパマスとばねとから成る付加振動系の固有振動数を、主振動系の固有振動数（壁の固有振動数）に対しチューニングすることで、壁の共振倍率を低くし制振することができる。
【００１８】
しかしながらダイナミックダンパによる制振では、単一の共振周波数の振動に対して効果を発揮するに過ぎず、他の周波数の共振を有効に防止することができない。即ち複数の周波数の共振に対しては有効でない。
しかもダイナミックダンパの場合には、共振点の前後に新たに別の共振を生じる問題がある。
加えてばねとしてゴム弾性体を用いたときに、ゴム弾性体のばね定数が温度によって変化するために特性の温度依存性が高く、高温時や低温時に制振効率が減少してしまう。
【００１９】
更にまたダイナミックダンパでは、ダンパマスとして大きな質量が必要であって（振動部材の１０％程度の質量が必要）、装置全体の重量が重くなるとともに、必要な設置スペースも大きく、更にまた制振可能な方向も定まっていて多方向の振動に対して有効に働かないといった種々の問題が内在している。
【００２０】
しかるに本発明の制振装置では、衝突マスを独立移動可能に設けておいて、これを制振すべき壁とは逆位相で運動させ、振動エネルギーを吸収減衰するものであるため周波数依存性が特になく、広い周波数範囲に亘って振動を抑制することができ、また衝突方向を多方向に取ることが容易且つ簡単であって、多方向の振動を抑制することができ、しかも温度に対する依存性も小さく、高温から低温までの幅広い温度範囲で良好な制振効果を発揮する。
また衝突マスの必要な質量も軽量で足り（振動部材の５％程度の質量で足りる）、また装置全体の所要スペースが小さくコンパクトであって、尚且つ壁に対し簡単に装着できるなど種々の特長を有している。
【００２１】
因みに図１は本発明の制振装置の一形態例をダイナミックダンパと比較して模式的に表したもので、図中１はその制振装置を、２はダイナミックダンパを表している。
尚、３は制振装置１における衝突マス、４は衝突マス３の外周面即ち当り面に形成した弾性体を、５は当り部を成すハウジングを示しており、また６はダイナミックダンパ２におけるダンパマス、７はばね（ゴム）を、更に８は振動部材を示している。
【００２２】
図１（Ｂ）は、振動部材８に対して制振装置１を装着したときの制振効果をダイナミックダンパ２を装着した場合及びそれらを装着しない場合との比較において表したものである。
但し図１（Ｂ）中ｃが制振装置１を装着した場合、ｂがダイナミックダンパ２を装着した場合、ａがそれらの何れをも装着しない場合をそれぞれ示している。
この図１（Ｂ）の制振特性から分るように、図１（Ａ）（イ）のダイナミックダンパ２を装着した場合、特定の周波数領域（ここでは高周波数側の領域）において共振を抑制できるものの、共振点の前後に別の新たな共振を生じており、更に低周波数側での共振に対しては効果を現していないが、図１（Ａ）（ウ）の制振装置１の場合、高周波数側においても低周波数側においても効果を現しており、更にまた共振点の前後に別の新たな共振を生ぜしめるといった現象も生じない。
【００２３】
以上から明らかなように本発明の制振装置は、壁における振動を良好に抑制できることが分る。
この壁の制振装置は、壁の振動に起因する周波数４０〜２００Ｈｚ程度の音を良好に防音することができる。
ここで制振装置は壁の内側ないし内部に装着することができるし、或いは場合によって外側に装着することもできる。
【００２４】
本発明においては、場合によって制振装置を壁全体に亘って装着することもできるが、通例は壁の一部に部分的に制振装置を装着するだけで足り、この場合従来のように壁全面に亘って防音材を挟み込んだり張り付けたりする場合に対して材料費，加工費が少なくてすみ、特に施工の手間が著しく簡単化し、ひいては防音壁施工のコストを低廉化することができる。
加えて本発明の制振装置は既設の壁に対して後付けで容易に取り付けることが可能である利点も有する。
【００２５】
本発明において、剛性の当り部は鉄，アルミニウム合金等の金属や硬質の樹脂その他の硬質材にて構成することができる。
また衝突マスはそれ自体、ゴム，樹脂等の弾性体にて構成することができる。但しこの場合、その内部に金属粉等を混入させて成る高比重ゴム，高比重樹脂等として構成しておくことが望ましい。
【００２６】
またこの衝突マスは、これを弾性体にて構成する場合においてこれを発泡体となしておくこともできる。
但しより効果的な制振をなす上で衝突マスは鉄，アルミニウム合金，鉛等の金属でこれを構成しておくことが望ましい。
【００２７】
本発明において、上記隙間は衝突マスを当り部に対し最も効果的に衝突させるうえで重要な意味があり、この意味において隙間は０．０５〜２．０ｍｍとすることが望ましく、より望ましいのは０．２〜１．０ｍｍの範囲である。
【００２８】
本発明においては、上記弾性体としてゴム，樹脂を用いることができる。
ここでゴムとしては例えばＮＲ，ＳＢＲ，ＢＲ等のジエン系ゴム，ＥＰＤＭ系ゴム，ウレタン系ゴム，シリコン系ゴム等各種のゴムを用いることができる。
また樹脂としては例えばポリプロピレンやポリアミド等の熱可塑性樹脂，ポリオレフィンやウレタン，ポリエステル系の熱可塑性エラストマその他のものを用いることができる。
【００２９】
本発明においては、内部に遊動室を形成する剛性のハウジングを制振装置に備えておき、その遊動室内に衝突マスを遊動可能に収容しておく。
この場合においてそのハウジングには複数の遊動室を形成しておき、それぞれの内部に衝突マスを収容しておくことができる。
このようにすることで、より効果的に壁の制振作用を行わせることができる。
【００３０】
また上記衝突マスはこれを長手形状となしておき、その長手方向に沿った当り面をハウジング等の当り部に衝突させるようになすことができる。
或いはまた衝突マスを球状となしておき、同じく球状の空間を形成する遊動室内にこれを収容しておくことができる。
【００３１】
本発明においては、壁の構築材である骨格部材を筒状形態となしてその両端の開口を閉鎖する別体のキャップとともにハウジングを構成する。このようにすることで、防音壁構成のための必要部材数を少なくすることができ且つ構造をより簡素化することができる。
【００３２】
或いはまた骨格部材をＣ型材にて構成し、そして長手方向に沿った開放面を閉鎖する別体の蓋体とともにハウジングを構成する（請求項２）。
【００３３】
上記請求項１，２のものは、出入口の開口の壁となる扉に対して適用することができ、これにより扉の振動に起因する騒音の発生や音の伝達を防止することができる。
ここで扉は回動式の扉であるドアであっても良いし、引戸その他の形態の扉であっても良い。
【００３４】
次に請求項３，４は上記と同様の構成からなる制振装置を家屋の天井に装着して天井を制振するようになしたもので、この場合においても制振装置は上記と同様に作用し、従ってまた上記したのと同様の効果を奏する。
【００３５】
一方請求項５，６のものは、上記と同様の構成からなる制振装置を家屋の屋根に装着して、その屋根を制振するようになしたもので、この場合においても制振装置は上記と同様の作用で制振効果を発揮し、従ってまた上記と同様の効果を奏する。
【００３６】
本発明においてはまた上記衝突マスにおける当り面全体を被覆するように弾性体を設けることもできるが、当り面の一部を部分的に被覆するように弾性体を設けておくこともできる。
例えば長手形状をなす衝突マスの両端部の外周面若しくは両端部外周面と両端面とを被覆するようにゴム弾性体を設けておくことができる。
このように衝突マスに対し部分的にこれを被覆するように弾性体を設けた場合、成形用の金型構造が簡単となり、また必要な弾性体の量も少なくて済み、コストを低減することもできる。
【００３７】
【実施例】
次に本発明の実施例を図面に基いて詳しく説明する。
図２は家屋の内部を示したもので、図中１０は床、１２は壁、１４は壁の一部をなすドア、即ち出入口の壁となるドアであり、１６は天井である。
【００３８】
図３は参考例の防音壁の構造を示している。同図において壁１２は間柱等の骨格部材１８とその両側の表面材２０，２３とを有している。
壁１２が家屋の内，外を仕切る壁である場合には表面材２３は外装材となり、２０は内装材となる。また壁１２が室内の仕切壁であれば表面材２０，２３何れも内装材ということになる。
【００３９】
壁１２にはその内部に制振装置２２が取り付けられている。
ここで制振装置２２は表面材２０の裏側に取り付けられているが、場合によって表面材２３の裏側に取り付けることもできる。或いはまた制振装置２２を表面材２０又は２３の外面に取り付けることも場合により可能である。この点は以下の各実施例及び参考例においても同様である。
【００４０】
またこの例では制振装置２２を断熱材２４及び従来から用いられているのと同種の防音材２６と組み合せて用いている。
【００４１】
図４に制振装置２２の具体的構成が示してある。
図に示しているように制振装置２２は金属製のハウジング２５を有している。
ハウジング２５は両端部に固定部２７を有しており、それら固定部２７の固定孔２９において、ねじ等の固定具により壁１２に固定されている。
【００４２】
ハウジング２５の内部には円柱形状の空間を形成する遊動室２８が並べて設けられており、その遊動室２８内部に、円柱形状をなす金属製の衝突マス３０が遊動可能に収容されている。ここで衝撃マス３０は、その外径が遊動室２８の内径よりも所定寸法小さくされている。
【００４３】
これら衝突マス３０は、その外周面全体がゴム弾性体３２の層にて被覆されている。尚ゴム弾性体３２の層は衝突マス３０の外周面に加硫接着などにより被着しても良いし、或いはまた接着をしないでただ単に衝突マス３０の外周面を被覆しておくだけでも良い。
【００４４】
尚この例ではゴム弾性体３２の層が、衝突マス３０の外周面を被覆するように設けられているが、場合によって遊動室２８の内周面を被覆する状態に設けておいても良い。
【００４５】
図４（Ｃ）に示しているように、この例では衝突マス３０の外周面を被覆するゴム弾性体３２の層と遊動室２８のとの間には所定の隙間（ｄ＋ｄ＝２ｄ。以下の実施例においても同様）が確保されており、遊動室２８内部において衝突マス３０がその隙間の許容する範囲内において自由運動、つまり壁２０の振動方向に遊動運動できるようになっている。尚この例において、壁１２の振動方向は図３においてＰで示す方向である。
【００４６】
図４に示しているように、ハウジング２５にはまた遊動室２８の両端開口から衝突マス３０が抜け出すのを防止する抜止部３４が設けられている。
【００４７】
本例の制振装置２２の場合、壁１２がＰ方向に振動し始めるとこれと一体にハウジング２５が変位し、壁１２と同期してＰ方向に振動し始めるが、一方の衝突マス３０はハウジング２５に対して振動方向（Ｐ方向）に遊動状態にあって独立して自由に移動するため、ハウジング２５の振動時に衝突マス３０がハウジング２５に対し振動方向に衝突し、ハウジング２５の振動即ち壁１２の振動を打ち消すように作用する。
【００４８】
このとき衝突マス３０にはハウジング２５から逆向きに運動エネルギーが与えられ、衝突マス３０は逆方向に運動を行う。そして最初の当り面とは逆位置にある当り面に再び衝突して壁１２の振動を打ち消すように作用する。
【００４９】
衝突マス３０は以後も同様の運動をハウジング２５とは逆位相で繰り返し行い、衝突の度にハウジング２５の振動エネルギーを吸収するとともに、これを自身の運動エネルギーに変換する。これによりまたその際の滑り摩擦によるエネルギー吸収によって、壁１２の振動エネルギーが減衰し効果高く制振される。
【００５０】
本例の制振装置２２では、衝突マス３０の外周面にゴム弾性体３２の層が形成してあるため、衝突時に大きな異音が発生する問題がない外、衝突時におけるゴム弾性体３２の粘性挙動によって振動エネルギーが熱に変換・吸収され、これによっても壁１２の振動減衰が更に効果的に為される。
【００５１】
このように本例の制振装置２２は、衝突マス３０を独立移動可能に設けておいて、これを制振すべき壁１２とは逆位相で運動させ振動エネルギーを吸収減衰するものであるため、周波数依存性が特になく、広い周波数範囲に亘って振動を抑制することができ、また衝突方向を多方向に取ることが容易且つ簡単であって、多方向の振動を抑制することができ、しかも温度に対する依存性も小さく、高温から低温までの幅広い温度範囲で良好な制振効果を発揮する。
【００５２】
また衝突マス３０の必要な質量も軽量で足りるため、装置全体の所要スペースが小さくコンパクトになるとともに、壁１２に対する装着が簡単であるなど種々の特長を有する。
更に本例の制振装置の場合、既設の壁に対して後付けで容易に取り付けることが可能であるといった利点を有する。
【００５３】
図５は他の参考例を示している。
この例は壁１２の構築材をもって制振装置２２のハウジング２５全体を構成した場合の例である。
具体的には、骨格部材１８と１８とに跨って枠材３６を上下に所定間隔隔てて配設することで、それら枠材３６，骨格部材１８及び一対の表面材２０，２３にてハウジング２５を構成し、そしてその内側の断面四角形状の遊動室２８内部に、衝突マス３０を遊動可能に収容している。
【００５４】
この場合においても衝突マス３０の外周面を被覆するゴム弾性体３２の層と遊動室２８の内面、特に縦向きの内面との間に衝突マス３０が自由に前後運動できるような隙間が確保してある。
尚、図５（Ｂ）の例は衝突マス３０として球状のものを用いた例であり、また（Ｃ）の例は衝突マス３０として横断面及び縦断面とも四角形状をなす衝突マスを用いた例である。
本例によれば、防音壁構成のための必要部材数を少なくすることができ、且つ構造をより簡素化することができる。
【００５５】
図６の例もまた壁１２の構築材をもって制振装置２２のハウジング２５全体を構成した場合の例である。
この例では、壁１２における一対の表面材２０，２３と骨格部材１８とでハウジング２５を構成し、その内側に遊動室２８を形成している。そしてその遊動室２８内部に、上下に長手形状をなす板状の遊動マス３０を、その外周面にゴム弾性体３２の層を形成した状態で収容している。
【００５６】
この例においてもゴム弾性体３２の層と遊動室２８との間、特に前後方向に、詳しくは壁１２の板面と直角方向に衝突マス３０の自由運動を確保するための隙間を確保している。
【００５７】
図に示しているように、この例では壁１２のほぼ全体に亘って制振装置２２を設けている。換言すれば壁１２のほぼ全体を制振装置２２として構成している。
【００５８】
図７は図２におけるドア１４を防音ドアとして構成した場合の例を示したものである。
同図に示しているようにこの例では、上記第一の参考例と同様にしてドア１４の内部且つ表面材２０の裏面に制振装置２２を取り付け、これによってドア１４を制振するようになしている。
尚、図７において３８は表面材２３に設けられた取手である。
【００５９】
このように出入口の開口の壁となるドア１４に対して本例の制振装置２２を適用することで、ドア１４の振動に起因する騒音の発生や音の伝達を防止することができる。
【００６０】
図８及び図９は図２における天井１６を防音天井とした場合の例を示している。
これらの図において４２は表面材（天井材）、４４，４６はそれぞれ骨格部材として野縁及び野縁受である。
この例では、図９のＡ，Ｂ，Ｃの位置において制振装置２２が表面材４２，野縁４４及び野縁受４６のそれぞれの裏面（上面）にねじ固定具４０にて取り付けてある。但しこれらはあくまで取付位置の一例を示したに過ぎないもので、何れか１箇所又は２箇所にのみ、或いは別の個所に制振装置２２を取り付けることも勿論可能である。
【００６１】
尚、この例の制振装置２２としては上記図４に示したものと同様の形態のものが用いられている。勿論他の形態の制振装置を用いることも可能である。この点は前の参考例及び後述の実施例及び参考例においても同様である。
【００６２】
このように本例の制振装置２２を家屋の天井１６に装着した場合においても、制振装置２２は前述した壁１２に適用した例と同様に作用し、従ってまた前述したのと同様の優れた制振効果を奏する。
【００６３】
図１０は他の例を示したもので、ここでは天井１６における表面材４２の裏側に断面略コ字形状をなすケーシング４７を取り付けて、そのケーシング４７と表面材４２の一部とでハウジング２５を形成し、その内部の遊動室２８内に衝突マス３０を、その外周面を被覆したゴム弾性体３２の層とともに遊動状態で収容したものである。
このようにすることで、防音天井構成のための必要部材数を少なくすることができ、且つ構造をより簡素化することができる。
【００６４】
次に図１１及び図１２は本発明の実施例を示したものである。
この例もまた天井１６を防音天井とした場合の例であって、図示のようにここでは野縁受４６がＣ型鋼にて構成されており、そこに一面が開放形状をなす金属製のケーシング４８がねじ固定具４０にて固定されることで、それらＣ型鋼からなる野縁受４６の一部とケーシング４８とによって、図１２に示しているようにハウジング２５が構成されている。
【００６５】
そしてその内側に形成された遊動室２８内部に、直方体形状の衝突マス３０が遊動可能に収容されている。尚、衝突マス３０の外周面がゴム弾性体３２の層にて被覆されている点は上記各実施例と同様である。
【００６６】
図１３は他の実施例を示したもので、この例では野縁４４を中空構造、即ち筒状形態となしてその両端の開口をキャップ５０により閉鎖してハウジング２５と成し、そしてその内側の遊動室２８内に直方体形状の衝突マス３０をゴム弾性体３２の層により被覆した状態で遊動状態に収容したものである。
尚この図１３の実施例を野縁受に適用することも可能である。
本例の場合においても、防音天井構成のための必要部材数を少なくすることができ、且つ構造をより簡素化することができる。
【００６７】
図１４は他の参考例を示している。
この例は屋根５２を防音屋根として構成した例である。
図示のようにこの例では、屋根５２の裏面側に制振装置２２を取付け、その制振効果によって屋根５２を防音屋根としている。
尚、図１４中５４は屋根５２における骨格部材であり、５６は面材である。
【００６８】
このようにして制振装置２２を家屋の屋根５２に装着した場合においても、制振装置２２は上記と同様の作用で制振効果を発揮し、屋根５２を良好に振動抑制する。
【００６９】
図１５は屋根５２を防音屋根とする場合において、屋根の構築材により制振装置２２のハウジング２５の大部分を構成するようにした例である。
【００７０】
図示のようにこの例では、屋根５２における面材５６と骨格部材５４及び板状の蓋材５８にてハウジング２５を構成し、そしてその内側に形成した遊動室２８内部に衝突マス３０を遊動可能に収容している。
【００７１】
次に図１６及び図１７は制振装置２２の他の形態例を示したものである。
図示のようにこの例では、ハウジング２５に円柱形状の空間を形成する遊動室２８を複数個（この例では３個）連設し、そしてその軸方向の両端の開口を、同じくハウジング２５の一部をなすストッパ６０付きのキャップ６２にて閉鎖し、その内側の遊動室２８内部に円柱形状をなす衝突マス３０を遊動可能に収容したものである。
尚この例においても衝突マス３０の外周面全体がゴム弾性体３２の層にて被覆されている。
【００７２】
図１８及び図１９もまた、制振装置２２の他の形態例を示したもので、基本的な形態については図１６，図１７に示すものとほぼ同様である。但しこの例では遊動室２８が直方体形状の空間を形成するものとなしてあり、そしてその遊動室２８内部に、ほぼ板状をなす直方体形状の衝突マス３０が遊動可能に収容されている。
【００７３】
またこの例では、上記キャップ６２を装着する代りに板状の抜止部３４がハウジング２５に固設されており、遊動室２８の軸方向両端の開口から衝突マス３０が抜け出るのが防止されている。
【００７４】
図２０は制振装置の更に他の形態例を示している。
この例では円筒体６３の両端開口をキャップ６４にて閉鎖してハウジング２５を構成し、そしてその内側に円柱形状をなす衝突マス３０を遊動可能に収容している。
尚この例では円筒体６３の両端外周面に雄ねじ６８が形成される一方、キャップ６４の内周面に雌ねじ７０が形成され、それら雄ねじ６８，雌ねじ７０においてキャップ６４が円筒体６３にねじ固定されている。
【００７５】
一方図２１の例は、短い円筒体７２の両端開口をキャップ６４で閉鎖し、そして内側に形成された立方体形状の空間を形成する遊動室２８内部に、球状の衝突マス３０を遊動可能に収容した例である。
【００７６】
以上の実施例及び参考例は何れも制振装置にハウジングを具備させ、その内側に遊動室を形成してそこに衝突マスを遊動可能に収容した例であるが、制振装置をそのようなハウジングを有しない形態で構成することも可能である。図２２はその一例を示している。
【００７７】
この例は制振装置２２に保持具７４を設け、その保持具７４の棒状部７６に対して、リング状をなす衝突マス３０を遊動可能に外嵌して制振装置２２を構成している。尚ここでは衝突マス３０の内周面にゴム弾性体３２の層を形成している。
尚、７８は衝突マス３０の抜け防止のための抜止部である。
【００７８】
ところで上記壁，（ドア，）天井，屋根は何れも板体を成す家屋構築体であり、従って壁，（ドア，）天井，屋根の何れについての実施例及び参考例も、他のものに適用することが可能である。
【００７９】
以上本発明の実施例及び参考例を詳述したがこれらはあくまで一例示である。
例えば図２３に示しているように、衝突マスを断面四角形状且つ長手形状の衝突マス３０として構成し、その全外周面をゴム弾性体３２等の弾性体で被覆することもできるし、或いはまた図２３（Ｂ）に示しているように衝突マス３０を断面円形の長手形状即ち円柱形状となして、その全外周面をゴム弾性体３２等の弾性体で被覆しておくこともできる。
【００８０】
また一方図２４に示しているように、特に衝突マス３０を長手形状とした場合において、その両端部外周面、或いはその両端部外周面と両端面とをゴム弾性体３２等の弾性体で部分的に被覆しておくこともできる。
【００８１】
更に上記実施例及び参考例では衝突マスが遊動室内において多方向に遊動可能となしてあるが、場合によって衝突マスを遊動室内において振動を抑制すべき部材の振動方向にのみ自由運動できるものとなし、他の方向については自由運動を禁止した状態となしておくといったことも可能である等、本発明はその主旨を逸脱しない範囲において種々変更加えた形態で構成可能である。
【図面の簡単な説明】
【図１】  （Ａ）本発明の制振装置の一形態例をダイナミックダンパと比較して模式的に示す図である。
（Ｂ）の制振装置の効果の説明図である。
【図２】  家屋の内部を示す斜視図である。
【図３】  家屋の壁に制振装置を装着してこれを防音壁とした参考例を示す図である。
【図４】  図３の制振装置の構成を示す図である。
【図５】  他の参考例を示す図である。
【図６】  更に他の参考例を示す図である。
【図７】  更に他の参考例を示す図である。
【図８】  更に他の参考例を示す図である。
【図９】  図８に示す防音天井を上方から見た斜視図である。
【図１０】  他の参考例を示す図である。
【図１１】  本発明の実施例を示す図である。
【図１２】  図１１の制振装置を拡大して示す図である。
【図１３】  本発明の他の実施例を示す図である。
【図１４】  他の参考例を示す図である。
【図１５】  図１４の制振装置を拡大して示す図である。
【図１６】  制振装置の他の形態例を示す図である。
【図１７】  図１６の制振装置の断面図である。
【図１８】  制振装置の更に他の形態例を示す図である。
【図１９】  図１８の制振装置の断面図である。
【図２０】  制振装置の更に他の形態例を示す図である。
【図２１】  制振装置の更に他の形態例を示す図である。
【図２２】  制振装置の更に他の形態例を示す図である。
【図２３】  衝突マスの形態例をゴム弾性体とともに示す図である。
【図２４】  衝突マスの更に他の形態例をゴム弾性体とともに示す図である。
【図２５】  従来公知の防音壁の構造の一例を示す図である。
【図２６】  従来公知の防音壁の他の構造例を示す図である。
【符号の説明】
１２  壁
１４  ドア
１６  天井
１８  骨格部材
２０，２３，４２，５６  (表)面材
２２  制振装置
２５  ハウジング
２８  遊動室
３０  衝突マス
３２  ゴム弾性体
４４  野縁
４６  野縁受
５０，６２，６４  キャップ
６３，７２  円筒体
７４  保持具
７６  棒状部
【図１】
0003843751.tif 000002
【図２】
0003843751.tif 000003
【図３】
0003843751.tif 000004
【図４】
0003843751.tif 000005
【図５】
0003843751.tif 000006
【図６】
0003843751.tif 000007
【図７】
0003843751.tif 000008
【図８】
0003843751.tif 000009
【図９】
0003843751.tif 000010
【図１０】
0003843751.tif 000011
【図１１】
0003843751.tif 000012
【図１２】
0003843751.tif 000013
【図１３】
0003843751.tif 000014
【図１４】
0003843751.tif 000015
【図１５】
0003843751.tif 000016
【図１６】
0003843751.tif 000017
【図１７】
0003843751.tif 000018
【図１８】
0003843751.tif 000019
【図１９】
0003843751.tif 000020
【図２０】
0003843751.tif 000021
【図２１】
0003843751.tif 000022
【図２２】
0003843751.tif 000023
【図２３】
0003843751.tif 000024
【図２４】
0003843751.tif 000025
【図２５】
0003843751.tif 000026
【図２６】
0003843751.tif 000027